(57)【要約】      （修正有）【課題】巻取ドラムの落下を抑制することができる技術を提供する。【解決手段】筒状の胴部２及び胴部の両端開口を塞ぐ側板３を有するドラム本体４と、側板の中心を通るドラム本体の軸に沿ってドラム本体内に挿入され、その状態で両端部がそれぞれ側板から突出するように形成された中空のシャフト５と、シャフトの両端側にそれぞれ鍔部６Ａを形成し、シャフトの両端部にかけられる吊り紐のシャフトからの脱落を抑制する環状のガイド６と、を備え、シャフトの両端部にかけられた吊り紐を引き上げることで、シャフトが水平になるような姿勢でドラム本体が吊り上げられるように構成されている。【選択図】図１
2016204099.tif 000002
【特許請求の範囲】
【請求項１】
筒状の胴部及び前記胴部の両端開口を塞ぐ側板を有するドラム本体と、
前記側板の中心を通る前記ドラム本体の軸に沿って前記ドラム本体内に挿入され、その状態で両端部がそれぞれ前記側板から突出する中空のシャフトと、
前記シャフトの両端側にそれぞれ鍔部を形成し、前記シャフトの両端部にかけられる吊り紐の前記シャフトからの脱落を抑制する環状のガイドと、を備え、
前記シャフトの両端部にかけられた前記吊り紐を引き上げることで、前記シャフトが水平になるような姿勢で前記ドラム本体が吊り上げられるように構成されている
巻取ドラム。
【請求項２】
前記ガイドの内周面と、少なくとも前記ガイドに接する箇所の前記シャフトの外周面とにはそれぞれ、互いに螺合するような加工が施されている
請求項１に記載の巻取ドラム。
【発明の詳細な説明】
【技術分野】
【０００１】
本発明は、被巻取線を巻き取る巻取ドラムに関する。
【背景技術】
【０００２】
従来より、電線やケーブル等の被巻取線を巻き取る巻取ドラムとして、例えば図３に示すように、ドラム本体２４と、ドラム本体２４内に挿入され、吊り紐１０がかけられるシャフト２５と、を備える巻取ドラム２１が知られている。また、例えば図４に示すように、円筒状の胴部３２及び胴部３２の両端開口を塞ぐ側板３３を有するドラム本体３４と、側板３３の中心を通るドラム本体３４の軸Ｌ２上の側板３３に取付けられ、ガイド３６にかけられた吊り紐１０の脱落を抑制する鍔部３６Ａが形成されたガイド３６と、を備える巻取ドラム３１が提案されている（例えば特許文献１参照）。巻取ドラム３１では、ガイド３６は側板３３に例えばボルト３７等を用いて取付けられている。さらにまた、例えば図５に示すように、ガイド４６と側板４３とが溶接等により一体化された巻取ドラム４１も知られている。
【先行技術文献】
【特許文献】
【０００３】
【特許文献１】特開平８−３３３０７６号公報
【発明の概要】
【発明が解決しようとする課題】
【０００４】
しかしながら、上述の例えば図３に示すような巻取ドラム２１では、シャフト２５の両端にかけられた吊り紐１０を引き上げて巻取ドラム２１を吊り上げた状態で、巻取ドラム２１の運搬等を行う際、ドラム本体２４に振動が加わることがあり、その振動により吊り紐１０の位置（シャフト２５の長手方向における位置）がずれ、吊り紐１０がシャフト２５から脱落することがある。その結果、巻取ドラム２１が落下することがある。また、上述の例えば図４や図５に示すような巻取ドラム３１，４１では、吊り紐１０を引き上げて巻取ドラム３１，４１が吊り上げられた状態が長時間維持されると、ボルト３７やガイド３６，４６が巻取ドラム３１，４１（ドラム本体３４，４４）の重量に耐えることができず、ボルト３７やガイド３６，４６が折れてしまい、巻取ドラム３１，４１が落下することがある。
【０００５】
本発明は、上記課題を解決し、巻取ドラムの落下を抑制することができる技術を提供することを目的とする。
【課題を解決するための手段】
【０００６】
本発明の一態様によれば、
筒状の胴部及び前記胴部の両端開口を塞ぐ側板を有するドラム本体と、
前記側板の中心を通る前記ドラム本体の軸に沿って前記ドラム本体内に挿入され、その状態で両端部がそれぞれ前記側板から突出する中空のシャフトと、
前記シャフトの両端側にそれぞれ鍔部を形成し、前記シャフトの両端部にかけられる吊り紐の前記シャフトからの脱落を抑制する環状のガイドと、を備え、
前記シャフトの両端部にかけられた前記吊り紐を引き上げることで、前記シャフトが水平になるような姿勢で前記ドラム本体が吊り上げられるように構成されている
巻取ドラムが提供される。
【発明の効果】
【０００７】
本発明によれば、巻取ドラムの落下を抑制することができる。
【図面の簡単な説明】
【０００８】
【図１】本発明の一実施形態にかかる巻取ドラムの概略図であり、（ａ）は側面図を示し、（ｂ）は（ａ）のＡ−Ａ’断面図を示す。
【図２】本発明の一実施形態にかかる巻取ドラムの部分断面図である。
【図３】従来の巻取ドラムの一例を示す図である。
【図４】従来の巻取ドラムの一例を示す図である。
【図５】従来の巻取ドラムの一例を示す図である。
【発明を実施するための形態】
【０００９】
＜本発明の一実施形態＞
（１）巻取ドラムの構成
以下に、本発明の一実施形態にかかる巻取ドラムについて、図１及び図２を参照しながら説明する。
【００１０】
図１に示すように、巻取ドラム１は、筒状の胴部２と、胴部２の両端開口を塞ぐ一対の側板３と、を有するドラム本体４を備えている。胴部２は例えば円筒状に形成されており、側板３は例えば円板状に形成されている。ドラム本体４（つまり胴部２及び側板３）は、例えば木や、木と金属部品とを組み合わせて形成されている。
【００１１】
巻取ドラム１は、巻取ドラム１（ドラム本体４）を吊り上げる吊り紐１０がかけられるシャフト５を備えている。シャフト５は、例えば両側板３の中心にそれぞれ形成された貫通孔に挿通され、胴部２の筒中空部内を貫通するように設けられている。これにより、シャフト５（シャフト５の長手方向に沿う中心線）がドラム本体４の軸Ｌとなる。つまり、シャフト５は、側板３の中心を通るドラム本体４の軸Ｌに沿ってドラム本体４内に挿入された状態となる。また、シャフト５は、ドラム本体４内に挿入された状態で、両端部がそれぞれ側板３から突出するように形成されている。つまり、シャフト５の長さＷ１は、胴部２の幅方向における長さＷ２よりも長い。
【００１２】
シャフト５は、巻取ドラム１を吊り上げた際に、ドラム本体４（巻取ドラム１）の重量を支えることができる太さに形成されている。シャフト５は、ＳＵＳ等の金属材料で形成されている。シャフト５の重量をより軽量にするため、シャフト５は中空に形成されていることが好ましい。
【００１３】
シャフト５の両端側にはそれぞれ、鍔部６Ａを形成する環状（例えば円環状）のガイド６が取付けられている。具体的には、ガイド６の中空部分（貫通孔）にドラム本体４から突出したシャフト５の部分が挿通されることで、ガイド６がシャフト５に取付けられている。ガイド６の貫通孔の内径が、シャフト５の直径とほぼ同一であることが好ましい。また、例えば図２に示すように、ガイド６はボルト７等によりシャフト５に固定されていることが好ましい。ガイド６は、ＳＵＳ等の金属材料で形成されている。
【００１４】
巻取ドラム１の運搬は以下のように行われる。まず、シャフト５の両端部に吊り紐１０がかけられる。具体的には、鍔部６Ａより内側であって、ドラム本体４内に挿入された状態で側板３から突出したシャフト５の部分に吊り紐１０がかけられる。そして、シャフト５の両端部にかけられた吊り紐１０が引き上げられることで、シャフト５が水平になるような姿勢で巻取ドラム１（ドラム本体４）が吊り上げられる。その状態で、巻取ドラム１が運搬装置等によって所定の位置に運搬される。
【００１５】
（２）本実施形態にかかる効果
本実施形態によれば、以下に示す１つまたは複数の効果を奏する。
【００１６】
（ａ）巻取ドラム１が、胴部２及び側板３を有するドラム本体４と、ドラム本体４の回転軸Ｌに沿ってドラム本体４内に挿入された状態で、両端部がそれぞれ側板３から突出するシャフト５と、シャフト５に取付けられ、シャフト５の両端部にそれぞれ鍔部６Ａを形成するガイド６と、を備えることで、巻取ドラム１が吊り上げられた際、巻取ドラム１の落下を抑制することができる。
【００１７】
例えば、シャフト５の両端部に鍔部６Ａを形成することで、シャフト５の両端にかけられた吊り紐１０を引き上げて巻取ドラム１を吊り上げた状態で巻取ドラム１の運搬等が行われることによりドラム本体４に振動が加わり、吊り紐１０の位置がずれた場合であっても、吊り紐１０がシャフト５から脱落することを抑制できる。その結果、巻取ドラム１の落下を抑制することができる。
【００１８】
（ｂ）また、巻取ドラム１が、ドラム本体４の軸Ｌに沿ってドラム本体４内に挿入された状態で両端部がそれぞれ側板３から突出するシャフト５を備え、シャフト５にガイド６が取り付けられることで、巻取ドラム１を吊り上げる吊り紐１０を、鍔部６Ａの内側であって、側板３から突出したシャフト５の部分にかけることができる。これにより、巻取ドラム１が吊り上げられた際、ドラム本体４の重量をシャフト５で支えることができる。つまり、ドラム本体４の重量（荷重）がガイド６やボルト７等にかかりすぎることを抑制できる。従って、巻取ドラム１が吊り上げられた状態が長時間維持された場合であっても、巻取ドラム１の構成部品が、ドラム本体４の重量に耐えきれずに損傷することを抑制できる。例えば、ガイド６やボルト７等が破損する（折れる）ことを抑制できる。その結果、巻取ドラム１の落下をより抑制することができる。
【００１９】
これに対し、例えば図４に示す従来の巻取ドラム３１では、ガイド３６が側板３３に取付けられてボルト３７等で固定されている。これにより、巻取ドラム３１が吊り上げられると、ドラム本体３４の重量がガイド３６を側板３３に固定するボルト３７にかかりすぎ、ボルト３７が折れることがある。また、例えば図５に示す従来の巻取ドラム４１では、ドラム本体４４の重量がガイド４６にかかりすぎ、ガイド４６が破損することがある。特に、ガイド４６を側板４３に溶接した箇所に巻取ドラム３１の重量がかかりやすくなり、溶接箇所が破損しやすくなる。
【００２０】
（ｃ）また、本実施形態にかかる巻取ドラム１では、ドラム本体４内にシャフト５が挿入されている状態で保管することができるため、ドラム本体４内からのシャフト５の挿脱を行う必要がない。つまり、巻取ドラム１を吊り上げる度にドラム本体４にシャフト５を挿入したり、巻取ドラム１を降ろした後にドラム本体４内からシャフト５を抜き取る作業を行う必要がない。これにより、作業者の負担を軽減することができる。例えば、作業者が腰を痛めることを抑制することができる。
【００２１】
これに対し、例えば図３に示す従来の巻取ドラム２１では、巻取ドラム２１の上げ下げの度にドラム本体２４内からのシャフト２５の挿脱を行う必要がある。シャフト２５の挿脱は人（作業者）によって行われることが多い。シャフト２５は、例えば重量が２００ｋｇ〜５００ｋｇにもなる巻取ドラム２１を支えることができるように形成されているため、重量が重いことが多い。その結果、作業者の負担が大きくなることがある。
【００２２】
（ｄ）シャフト５を中空に形成することで、シャフト５の重量をより軽量にすることができる。その結果、仮にシャフト５の挿脱を行う場合であっても、作業者の負担を軽減することができる。
【００２３】
（ｅ）ガイド６がシャフト５に取付けられることで、例えばドラム本体４の外径が大きく、重量が重い場合や、巻取られる被巻取線の重量が重い場合であっても、充分な強度を確保することができる。これにより、巻取ドラム１の落下をより抑制することができる。これに対し、例えば図４や図５に示すように、ガイド３６（４６）がドラム本体３４（４４）に取付けられる場合、ドラム本体３４（４４）の重量が重い場合や、被巻取線の重量が重い場合等、ガイド３６（４６）やボルト３７がドラム本体３４（４４）や被巻取線の重量に耐えることができず、折れてしまうことがある。
【００２４】
＜他の実施形態＞
以上、本発明の一実施形態を具体的に説明したが、本発明は上述の実施形態に限定されるものではなく、その要旨を逸脱しない範囲で種々変更可能である。
【００２５】
上述の実施形態では、ボルト７によりガイド６をシャフト５に固定する場合を例に説明したが、これに限定されない。例えば、ガイド６の内面と、少なくともガイド６に接する箇所のシャフト５の外面と、にそれぞれ、互いが螺合するような加工を施し、ガイド６の内面とシャフト５の外面の少なくとも一部とを螺合させることで、ガイド６をシャフト５に固定してもよい。また、例えば、ガイド６の内面と、シャフト５の外面の少なくとも一部とを螺合させるとともに、ボルト７によりガイド６をシャフト５に固定してもよく、これにより、ガイド６をシャフト５により強固に固定することができる。さらにまた、例えば、シャフト５に取付けられたガイド６を、溶接によりシャフト５に固定してもよい。
【００２６】
また、ガイド６の形状は、図１や図２に示す形状に限定されない。つまり、ガイド６は、シャフト５の両端部にそれぞれ鍔部６Ａを形成することができれば、どのような形状であってもよい。
【００２７】
また、例えば、ドラム本体４が、胴部２の周方向に回転することで、胴部２に電線やケーブル等の被巻取線を巻き取るように構成されていてもよい。この場合、軸Ｌが、ドラム本体４が回転する際の回転軸にもなる。被巻取線の巻取りは以下のように行われる。まず、シャフト５の両端部にかけられた吊り紐１０が引き上げられることで、シャフト５が水平になるような姿勢で巻取ドラム１が吊り上げられる。そして、その状態で、ドラム本体４が回転することで、被巻取線がドラム本体４の胴部２の外周に巻取られる。なお、ドラム本体４の回転は、例えば手動で行ったり、巻取ドラム１に接続された駆動部を介して行うことができる。このように、ドラム本体４が吊り上げられた状態でドラム本体４が回転する際、ドラム本体４の回転により吊り紐１０の位置がずれた場合であっても、吊り紐１０がシャフト５から脱落することを抑制でき、巻取ドラム１の落下を抑制することができる。
【００２８】
上述の実施形態では、被巻取線として、電線やケーブル等を例にあげたが、これに限定されず、ワイヤ等であってもよい。
【００２９】
＜本発明の好ましい態様＞
以下に、本発明の好ましい態様について付記する。
【００３０】
［付記１］
本発明の一態様によれば、
筒状の胴部及び前記胴部の両端開口を塞ぐ側板を有するドラム本体と、
前記側板の中心を通る前記ドラム本体の軸に沿って前記ドラム本体内に挿入され、その状態で両端部がそれぞれ前記側板から突出する中空のシャフトと、
前記シャフトの両端側にそれぞれ鍔部を形成し、前記シャフトの両端部にかけられる吊り紐の前記シャフトからの脱落を抑制する環状のガイドと、を備え、
前記シャフトの両端部にかけられた前記吊り紐を引き上げることで、前記シャフトが水平になるような姿勢で前記ドラム本体が吊り上げられるように構成されている巻取ドラムが提供される。
【００３１】
［付記２］
付記１の巻取ドラムであって、好ましくは、
前記ガイドの内周面と、少なくとも前記ガイドに接する箇所の前記シャフトの外周面とにはそれぞれ、互いに螺合するような加工が施されている。
【符号の説明】
【００３２】
１          巻取ドラム
２          胴部
３          側板
４          ドラム本体
５          シャフト
６          ガイド
６Ａ        鍔部
【図１】
2016204099.tif 000003
【図２】
2016204099.tif 000004
【図３】
2016204099.tif 000005
【図４】
2016204099.tif 000006
【図５】
2016204099.tif 000007